(57)【要約】【課題】省電力で長時間点灯可能なスイッチ一体型ＬＥＤ常夜灯およびスイッチ一体型ＬＥＤ常夜灯を備える照明器具を提供する。【解決手段】スイッチ一体型ＬＥＤ常夜灯１０は、ＬＥＤ素子１、ＬＥＤ用点灯回路２、引き紐スイッチ３、筐体４、カバー５および配線６を備える。ＬＥＤ用点灯回路２は、ＬＥＤ素子１を点灯させる。引き紐スイッチ３は、ＬＥＤ用点灯回路２および外部回路と電源の接続を切り替える。筐体４は、ＬＥＤ用点灯回路２および引き紐スイッチ３を内蔵して収容し、その外部に取り付けたＬＥＤ素子１を含めて一体化させることが可能であり、関連する技術である白熱灯を常夜灯に用いる照明器具に用いることが可能な形状である。【選択図】図１
2012004005.tif 000002
【特許請求の範囲】
【請求項１】
ＬＥＤ素子と、
前記ＬＥＤ素子を点灯させるための点灯回路と、
前記点灯回路および外部回路と電源の接続を切り替えるための引き紐スイッチと、
前記ＬＥＤ素子と前記点灯回路と前記引き紐スイッチを一体化させて収納可能な筐体と、
を備え、
前記筐体は、前記ＬＥＤ素子の発光方向部分を該筐体の壁で覆われていないことを特徴とするスイッチ一体型ＬＥＤ常夜灯。
【請求項２】
請求項１に記載のスイッチ一体型ＬＥＤ常夜灯を備えることを特徴とする照明器具。
【発明の詳細な説明】
【技術分野】
【０００１】
本発明は、スイッチ一体型ＬＥＤ常夜灯およびスイッチ一体型ＬＥＤ常夜灯を備える照明器具に関する。
【背景技術】
【０００２】
シーリング照明器具の多くは、蛍光灯と常夜灯を備えており、就寝中など常夜灯を点灯し続けて使用する。常夜灯は、就寝中のときなど、主に消灯後の暗闇を避ける目的で使用される。
【０００３】
特許文献１には、引き紐操作により、蛍光灯と常夜灯の発光ダイオードを点灯させる照明装置が記載されている。
【先行技術文献】
【特許文献】
【０００４】
【特許文献１】特開平５−３６３０３号公報
【発明の概要】
【発明が解決しようとする課題】
【０００５】
ＬＥＤは、電流を増やせば明るさが増え、同時に樹脂の劣化が速まり寿命が短くなる特性があるが、電流（すなわち明るさ）を適切に制限することにより、より長寿命な常夜灯として用いることができる。
【０００６】
しかし、現在使用している照明器具の常夜灯を、白熱電球からＬＥＤを使用した光源に切り替える場合、ＬＥＤを使用した光源は直流電源を使用するため、商用電源につなぐ際に専用の電源回路が必要となる。
【０００７】
関連する技術である特許文献１は、器具本体そのものに、発光ダイオードを用いた照明装置であり、照明器具自体を取り替えなければ、発光ダイオードを用いた照明器具を使用できない。
【０００８】
本発明は、上記事情に鑑みてなされたものであり、省電力で長時間点灯可能なスイッチ一体型ＬＥＤ常夜灯およびスイッチ一体型ＬＥＤ常夜灯を備える照明器具を提供することを目的とする。
【課題を解決するための手段】
【０００９】
本発明の第１の観点に係るスイッチ一体型ＬＥＤ常夜灯は、
ＬＥＤ素子と、
前記ＬＥＤ素子を点灯させるための点灯回路と、
前記点灯回路および外部回路と電源の接続を切り替えるための引き紐スイッチと、
前記ＬＥＤ素子と前記点灯回路と前記引き紐スイッチを一体化させて収納可能な筐体と、
を備え、
前記筐体は、前記ＬＥＤ素子の発光方向部分を該筐体の壁で覆われていないことを特徴とする。
【００１０】
本発明の第２の観点に係る照明器具は、
第１の観点に係るスイッチ一体型ＬＥＤ常夜灯を備えることを特徴とする。
【発明の効果】
【００１１】
本発明によれば、省電力で長時間点灯ができる。
【図面の簡単な説明】
【００１２】
【図１】本発明の実施の形態１に係るスイッチ一体型ＬＥＤ常夜灯の一例を示す概略構成図である。（ａ）は照光側から見た平面図、（ｂ）は（ａ）のＭ−Ｍ線断面図である。
【図２】スイッチ部分の構成概略図である。
【図３】本発明の実施の形態２に係る照明器具の一例を示す概略斜視図である。
【図４】実施の形態２の変形例に係る照明器具の一例を示す概略斜視図である。
【発明を実施するための形態】
【００１３】
以下、本発明の実施の形態について図面を参照しながら詳細に説明する。なお、図中同一または相当部分には同一符号を付す。
【００１４】
（実施の形態１）
図１は、本発明の実施の形態１に係るスイッチ一体型ＬＥＤ常夜灯の一例を示す概略斜視図である。
【００１５】
スイッチ一体型ＬＥＤ常夜灯１０は、ＬＥＤ素子１、ＬＥＤ用点灯回路２、引き紐スイッチ３、筐体４、カバー５および配線６を備える。
【００１６】
スイッチ一体型ＬＥＤ常夜灯１０は、ＬＥＤ用点灯回路２を内蔵した筐体４に、ＬＥＤ素子１と、ＬＥＤ用点灯回路２および外部回路と電源の接続切替を行うスイッチである引き紐スイッチ３も一体化して組み込む。
【００１７】
スイッチ一体型ＬＥＤ常夜灯１０は、関連する技術である白熱灯を常夜灯に用いる照明器具に用いることが可能な形状で、筐体４に一体化する。スイッチ一体型ＬＥＤ常夜灯１０の配線６により、外部電源とＬＥＤ用点灯回路２は電気的に接続可能であり、外部からの電源をＬＥＤ素子１に供給することでＬＥＤ素子１は点灯する。
【００１８】
カバー５は、ＬＥＤ素子１を保護し、かつ、ＬＥＤ素子１の照射範囲や色合いなどを調整するためのもので、光を透過する材質、例えばアクリルなどで形成される。カバー５に、ＬＥＤ素子１の光を拡散させる様な素材を用いることで、もしくは光を拡散するような形状にすることで、点光源の特徴を有するＬＥＤ素子１の光を、より面光源に近い光照射にすることが可能となる。
【００１９】
図２は、スイッチ部分の構成概略図である。引き紐スイッチ３のスイッチＳ部分の構造について説明する。引き紐スイッチ３を動作させることにより、スイッチＳ部分は、交流電圧で印加される電圧の接続回路を切り替え、ＬＥＤ用点灯回路２および外部回路と電源の接続を切り替えることができる。
【００２０】
具体的には、スイッチＳａと接続している場合は、蛍光灯は点灯パターン１で点灯する。引き紐スイッチ３でスイッチＳを切り替えると、スイッチＳａからスイッチＳｂに接続が切り替わり、蛍光灯は点灯パターン２で点灯する。例えば、点灯パターン１は２つの蛍光灯を点灯させ、点灯パターン２は片方の蛍光灯のみ点灯させるなど、予め蛍光灯用点灯回路およびＬＥＤ用点灯回路２を設計しておく。
【００２１】
スイッチＳを切り替えると、スイッチＳｂからスイッチＳｃに接続が切り替わり、ＬＥＤ素子１が点灯する。さらにスイッチＳを切り替えると、スイッチＳｄと接続し、照明器具の蛍光灯およびＬＥＤ素子１は消灯し、全消灯の状態となる。全消灯した状態から、引き紐スイッチ３のスイッチＳを切り替えると、再び、スイッチＳａと接続し、蛍光灯は点灯パターン１で点灯を行う。このようにして、スイッチＳａ、Ｓｂ、Ｓｃ、Ｓｄの順で、引き紐スイッチ３により、スイッチＳは切り替えられ、蛍光灯用点灯回路およびＬＥＤ用点灯回路２および外部回路と電源の接続は切り替わる。ただし、スイッチＳｃと接続した場合、ＬＥＤ素子１へ直接交流電圧を印加せず、先に交流電圧を整流器を用いて直列回路に印加するための脈流電圧を生成し、それからＬＥＤ素子１に電圧を印加し、ＬＥＤ素子１を点灯させる必要がある。本発明に係るスイッチ一体型ＬＥＤ常夜灯１０のＬＥＤ用点灯回路２そのものに、整流器の機能を備えておいてもよい。
【００２２】
以上説明したように、本実施の形態１のスイッチ一体型ＬＥＤ常夜灯によれば、省電力で長時間点灯できる。また、ＬＥＤを使用することで、長寿命および省エネを可能にする。
【００２３】
また、スイッチとライト部分を一体化することで、小型化でき、かつ、１つの部材として扱えるので、部品数の削減、製造工程の簡易化をはかることができる。
【００２４】
（実施の形態２）
図３は、本発明の実施の形態２に係る照明器具の一例を示す概略斜視図である。照明器具１００は、吊り下げ式照明器具を例に挙げる。
【００２５】
照明器具１００は、スイッチ一体型ＬＥＤ常夜灯１０、本体部５１、蛍光灯５２、ランプホルダ（支持部材）５３、ランプソケット５４、蛍光灯用点灯回路５５、引き紐５６、つまみ５７およびセード５９を備える。蛍光灯５２は、大小２つの円形の蛍光ランプを備える。スイッチ一体型ＬＥＤ常夜灯１０は、実施の形態１に係るスイッチ一体型ＬＥＤ常夜灯１０を用いる。
【００２６】
蛍光灯５２は、ランプホルダ５３で本体部５１に固定支持され、同時に、蛍光灯５２のランプソケット５４のピン（図示せず）を本体部５１のピン受け（図示せず）と接続する。このとき、本体部５１と蛍光灯５２は電気的に接続した状態となる。
【００２７】
照明器具１００は、天井のコネクタと、本体部５１と接続したコードファスナーで取り付けられる。照明器具１００はコネクタおよびコードファスナーを介して電力線に接続し、例えば１００Ｖの交流電力が供給される。蛍光灯用点灯回路５５は電力線に接続し、蛍光灯５２を点灯させる。また、スイッチ一体型ＬＥＤ常夜灯１０のＬＥＤ用点灯回路２も電力線に接続し、ＬＥＤ素子１を点灯させる。
【００２８】
ＬＥＤ素子１の光は、スイッチ一体型ＬＥＤ常夜灯１０および蛍光灯用点灯回路５５などを内蔵する本体部５１の、ＬＥＤ素子１の発光方向に対向する部分に孔６１をあけて、その孔６１から光を照射させる。このとき、スイッチ一体型ＬＥＤ常夜灯１０のＬＥＤ素子１を覆う部分のカバー５の替わりに、孔６１をカバー５で覆っていてもよい。
【００２９】
ＬＥＤ用点灯回路２および蛍光灯用点灯回路５５は、電気的に接続させておき、ＬＥＤ素子１と蛍光灯５２の点灯、および電源の接続の切り替えをスイッチ一体型ＬＥＤ常夜灯１０の引き紐スイッチ３で行えるようにする。
【００３０】
引き紐スイッチ３は、本体部５１の、引き紐スイッチ３の可動方向に対向する部分に孔６２をあけて、その孔６２から引き紐スイッチ３に連結させた引き紐５６を通す。引き紐５６は、使用しやすいように、末端につまみ５７を設ける。
【００３１】
引き紐スイッチ３で行う点灯制御は、例えば、２つの蛍光灯５２の点灯、大サイズの蛍光灯５２、小サイズの蛍光灯５２、ＬＥＤ素子１の順で点灯させるものとする。蛍光灯５２点灯時において、ＬＥＤ素子１の点灯を行わないように制御することで、ＬＥＤ素子１の寿命が短くなるのを防止する。また、ＬＥＤ素子１点灯時において、蛍光灯５２の点灯は不要であるので、蛍光灯５２を同時に点灯させないように制御する。
【００３２】
図４は、実施の形態２の変形例に係る照明器具の一例を示す概略斜視図である。照明器具１００は、直付け照明器具を例に挙げる。
【００３３】
照明器具１００は、スイッチ一体型ＬＥＤ常夜灯１０、本体部５１、蛍光灯５２、ランプホルダ５３、ランプソケット５４、蛍光灯用点灯回路５５、引き紐５６、スイッチバネ５８およびセードカバー６０を備える。蛍光灯５２は、大小２つの円形の蛍光ランプを備える。
【００３４】
蛍光灯５２は、ランプホルダ５３で本体部５１に固定支持され、同時に、蛍光灯５２のランプソケット５４のピン（図示せず）を本体部５１のピン受け（図示せず）と接続する。このとき、本体部５１と蛍光灯５２は電気的に接続した状態となる。
【００３５】
照明器具１００は、天井面または壁面などに、フックを兼ねたコネクタで取り付けられる。本体部５１と天井面などの間に、照明器具１００を安定させるために、スペーサが介在する。照明器具１００はコネクタを介して電力線に接続し、例えば１００Ｖの交流電力が供給される。蛍光灯用点灯回路５５は電力線に接続し、蛍光灯５２を点灯させる。また、スイッチ一体型ＬＥＤ常夜灯１０のＬＥＤ用点灯回路２も電力線に接続し、ＬＥＤ素子１を点灯させる。
【００３６】
ＬＥＤ用点灯回路２および蛍光灯用点灯回路５５は、セードカバー６０により覆われるので、本体部５１に内蔵せずに、例えば基板などから成る本体部５１に外付けする。ＬＥＤ用点灯回路２および蛍光灯用点灯回路５５は、電気的に接続させておき、ＬＥＤ素子１と蛍光灯５２の点灯、および電源の接続の切り替えをスイッチ一体型ＬＥＤ常夜灯１０の引き紐スイッチ３で行えるようにする。
【００３７】
また、スイッチ一体型ＬＥＤ常夜灯１０は、セードカバー６０により覆われるので、ＬＥＤ素子１を覆うカバー５を備えなくてもよい。
【００３８】
引き紐スイッチ３は、本体部５１に嵌合するセードカバー６０により覆われるため、スイッチバネ５８などを用いて、引き紐スイッチ３の可動方向を変換し、セードカバー６０の外側から、点灯制御を行えるようにする。スイッチバネ５８を介して引き紐スイッチ３と連結する引き紐５６を引くことで、照明器具１００の点灯制御が可能である。引き紐５６は、その末端につまみ５７を備えずに、プラスチック製の細棒などであってもよい。
【００３９】
引き紐スイッチ３で行う点灯制御は、例えば、２つの蛍光灯５２の点灯、大サイズの蛍光灯５２か小サイズの蛍光灯５２のいずれかによる減光、ＬＥＤ素子１の順で点灯させる。蛍光灯５２の点灯時において、ＬＥＤ素子１の点灯を行わないように制御することで、ＬＥＤ素子１の寿命が短くなるのを防止する。また、ＬＥＤ素子１の点灯時において、蛍光灯５２の点灯は不要であるので、蛍光灯５２を同時に点灯させないように制御する。
【００４０】
照明器具１００の点灯制御は、リモコンなどの点灯制御装置（図示せず）を併用してもよい。具体的には、引き紐スイッチ３での点灯制御と併用して、リモコンでも操作が可能、すなわち点灯制御の切り替えが行えるようにしておく。リモコンを用いた場合は、照明器具１００の遠隔制御受信部６０に信号を送信し、蛍光灯用点灯回路５５のみ、または、ＬＥＤ用点灯回路２および蛍光灯用点灯回路５５に内蔵された論理回路またはその半導体集積回路などを制御して点灯制御の切り替えを行う。点灯制御について、リモコンで蛍光灯５２の減光もしくは連続調光を行い、引き紐スイッチ３で蛍光灯５２の点灯（すなわちＬＥＤ素子１の消灯）と、蛍光灯５２の消灯（すなわちＬＥＤ素子１の点灯）と、蛍光灯５２およびＬＥＤ素子１の消灯を制御するように設定してもよく、上述の例に限らない。
【００４１】
以上説明したように、本実施の形態２に係る照明器具によれば、省電力で長時間点灯できる。
【００４２】
常夜灯の白熱灯をＬＥＤに置き換えることで、長寿命および省エネを可能にするので、電気代を低減でき、光源交換が不要になる、もしくは、光源交換の頻度を少なくする。
【００４３】
また、置き換えの際に、関連する技術の照明器具をそのまま利用することが可能であり、汎用性が広がるだけでなく、利便性が高い。
【００４４】
さらに、ＬＥＤ素子を用いたスイッチ一体型ＬＥＤ常夜灯を使用することで、１つの部材として扱えるので、部品数の削減、製造工程の簡易化をはかることができる。
【００４５】
また、スイッチやリモコンなどの遠隔制御装置により、蛍光灯とＬＥＤ素子の常夜灯の点灯の切替ができる。蛍光灯点灯時には常夜灯を点灯させず、常夜灯点灯時には蛍光灯を点灯させず、場面に応じて必要な明かりを点灯させることで、調光の選択性が広がるだけでなく、蛍光灯と常夜灯を長寿命および省エネで使用可能となる。
【００４６】
本実施の形態に係るスイッチ一体型ＬＥＤ常夜灯の形状、大きさ、用いるＬＥＤ素子の数や配置は、上述した例に限らない。関連する技術の照明器具の常夜灯で使用可能な形状であれば、任意に設定可能である。
【００４７】
その他、照明器具の形状や種類、蛍光ランプの形状、点灯制御の方法や点灯の順番、および減光や滅光などの調光方法などは一例である。これらは任意に変更および修正は可能であり、さまざまな照明器具に本発明は適用できる。
【００４８】
上記の実施形態の一部または全部は、以下の付記のようにも記載されうるが、以下には限られない。
【００４９】
（付記１）ＬＥＤ素子と、前記ＬＥＤ素子を点灯させるための点灯回路と、前記点灯回路および外部回路と電源の接続を切り替えるための引き紐スイッチと、前記ＬＥＤ素子と前記点灯回路と前記引き紐スイッチを一体化させて収納可能な筐体と、を備え、前記筐体は、前記ＬＥＤ素子の発光方向部分を該筐体の壁で覆われていないことを特徴とするスイッチ一体型ＬＥＤ常夜灯。
【００５０】
（付記２）付記１に記載のスイッチ一体型ＬＥＤ常夜灯を備えることを特徴とする照明器具。
【符号の説明】
【００５１】
１  ＬＥＤ素子
２  ＬＥＤ用点灯回路
３  引き紐スイッチ
４  筐体
５  カバー
６  配線
１０  スイッチ一体型ＬＥＤ常夜灯
５１  本体部
５２  蛍光灯
５３  ランプホルダ（支持部材）
５４  ランプソケット
５５  蛍光灯用点灯回路
５６  引き紐
５７  つまみ
５８  スイッチバネ
５９  セード
６０  セードカバー
６１、６２  孔
１００  照明器具
Ｓ  スイッチ
【図１】
2012004005.tif 000003
【図２】
2012004005.tif 000004
【図３】
2012004005.tif 000005
【図４】
2012004005.tif 000006